(57)【要約】【課題】蓄尿検査における患者の作業負担を減らすことが可能な蓄尿検査システムを提供する。【解決手段】洋式便器１２２のボウル内に配置され、患者が排泄した尿を受ける採尿器１２４と、一端が採尿器１２４に接続され、他端が尿の量および比重を測定する蓄尿装置１４０に接続された搬送チューブ１２５ａ，１２５ｂを介して、採尿器１２４に採取された尿を取得し、当該取得した尿を蓄尿装置１４０に供給する尿吸い上げポンプ１３４（尿供給部）と、採尿器１２４に採取された尿を蓄尿装置１４０に供給するように尿吸い上げポンプ１３４を制御する制御部１２６とを備える。【選択図】図２
2014021071.tif 000002
【特許請求の範囲】
【請求項１】
洋式便器のボウル内に配置され、患者が排泄した尿を受ける採尿器と、
一端が前記採尿器に接続され、他端が尿の量および比重を測定する蓄尿装置に接続された搬送チューブを介して、前記採尿器に採取された前記尿を取得し、当該取得した尿を前記蓄尿装置に供給する尿供給部と、
前記採尿器に採取された前記尿を前記蓄尿装置に供給するように前記尿供給部を制御する制御部と、
を備える蓄尿検査システム。
【請求項２】
前記採尿器は、前記ボウル内における前寄りの領域に配置されている請求項１に記載の蓄尿検査システム。
【請求項３】
洗浄液を前記ボウル内に供給する洗浄液供給部を備え、
前記制御部は、前記ボウル内が洗浄水で洗浄される場合、前記洗浄液を前記ボウル内に供給するように前記洗浄液供給部を制御する請求項１または２に記載の蓄尿検査システム。
【請求項４】
前記患者を一意に特定するバーコード情報を読み取るバーコード読み取り部を備え、
前記制御部は、前記バーコード読み取り部により前記バーコード情報が読み取られた場合、前記尿供給部の動作を開始または停止する請求項１〜３の何れか１項に記載の蓄尿検査システム。
【発明の詳細な説明】
【技術分野】
【０００１】
本発明は、患者から採取した尿の量および比重を測定する蓄尿検査システムに関する。
【背景技術】
【０００２】
従来、病院施設においては、尿中に排泄される成分を検査するため、一定時間（例えば、２４時間）に排泄された尿をすべて溜め、この溜めた尿の量および比重が測定する蓄尿検査が行われている。この蓄尿検査を行うため、患者から採取された尿を装置内部に取り込み、取り込んだ尿の量および比重を測定し、装置内部に蓄える蓄尿装置が知られている。蓄尿装置は、患者が採尿カップに採取した自分の尿を当該蓄尿装置にセットし、スイッチ操作等を行った場合、当該尿の量および比重等を自動的に測定して記録する。
【０００３】
蓄尿装置に関する技術として、配置部に配置された採尿容器を転倒させることなく、当該採尿容器に収容された尿を尿受入部に供給する技術が提案されている（例えば、特許文献１を参照）。特許文献１に記載の技術では、患者により配置部に配置された採尿容器の孔の密封状態を解除することによって、当該採尿容器の孔から通流した尿が尿受入部に受け入れられるようにしている。
【先行技術文献】
【特許文献】
【０００４】
【特許文献１】特開２０１０−８３６４号公報
【発明の概要】
【発明が解決しようとする課題】
【０００５】
しかしながら、蓄尿検査のため、患者が病室のトイレ（洋式トイレ）等で採尿カップに自ら尿を排出して採取する場合、採尿カップの開口に対する尿の排出が思うようにいかず、排出中の尿が手に付いたり、採取量が十分に得られなかったりすることがあり、患者に負担を与えていた。また、患者は、尿を採取する度に当該尿を蓄尿装置に取り込ませる作業が必要であり、この作業が患者に大きい負担となっていた。
【０００６】
本発明は、蓄尿検査における患者の作業負担を減らすことが可能な蓄尿検査システムを提供することを目的とする。
【課題を解決するための手段】
【０００７】
本発明に係る蓄尿検査システムは、
洋式便器のボウル内に配置され、患者が排泄した尿を受ける採尿器と、
一端が前記採尿器に接続され、他端が尿の量および比重を測定する蓄尿装置に接続された搬送チューブを介して、前記採尿器に採取された前記尿を取得し、当該取得した尿を前記蓄尿装置に供給する尿供給部と、
前記採尿器に採取された前記尿を前記蓄尿装置に供給するように前記尿供給部を制御する制御部と、
を備える。
【発明の効果】
【０００８】
本発明によれば、蓄尿検査における患者の作業負担を減らすことが可能な蓄尿検査システムを提供することができる。
【図面の簡単な説明】
【０００９】
【図１】本実施の形態における蓄尿検査システムの構成を示す図である。
【図２】本実施の形態における蓄尿検査システムの制御ブロックを示す図である。
【図３】本実施の形態における蓄尿検査システムの動作例を示すフローチャートである。
【発明を実施するための形態】
【００１０】
［蓄尿検査システム１００の構成］
以下、本実施の形態を図面に基づいて詳細に説明する。図１，２に示すように、蓄尿検査システム１００は、例えば病院内に設置され、トイレユニット１２０および蓄尿装置１４０を備える。なお、図１（ａ）は、蓄尿検査システム１００の正面図である。図１（ｂ）は、トイレユニット１２０の平面図である。図１（ｃ）は、トイレユニット１２０の側面図である。
【００１１】
［トイレユニット１２０の構成］
トイレユニット１２０は、腰掛け型の洋式便器１２２、採尿器１２４、制御部１２６、操作部１２８、洗浄水供給部１３０、洗浄液ポンプ１３２および尿吸い上げポンプ１３４を備える。なお、洗浄液ポンプ１３２および尿吸い上げポンプ１３４は、それぞれ洗浄液供給部および尿供給部として機能する。
【００１２】
洋式便器１２２は、トイレユニット１２０の床に取り付けられ、洋式便器本体１２２ａ、便座１２２ｂおよび便蓋１２２ｃを有する。
【００１３】
採尿器１２４は、洋式便器１２２のボウル内における前寄りの領域に配置され、患者が排泄した尿を受ける。ここで、前寄りとは、洋式便器１２２のボウル内に形成されている溜水よりも前側をいう。採尿器１２４の外周面には、ボウル面１２２ｄの形状に沿った対向部１２４ａが設けられている。この対向部１２４ａは、接着剤（例えば、シリコンボンド等）によりボウル面１２２ｄに接着されている。この構成により、ボウル内を洗浄水で洗浄する場合に、当該洗浄水によって採尿器１２４が流されることを防止することができる。
【００１４】
採尿器１２４は、例えば厚さ１〜５［ｍｍ］のシリコン材料で形成され、上面が開口した船底形状を有する。採尿器１２４の底部には、当該底部を貫通する排出孔１２４ｂが設けられている。排出孔１２４ｂは、採尿器１２４の最下部に位置し、搬送チューブ１２５ａが接続されている。なお、採尿器１２４を形成する材料は、シリコン材料に限らず、例えばステンレス材料で採尿器１２４を形成しても良い。また、採尿器１２４の形状は、本実施の形態で説明した形状に限らない。ただし、患者が排泄した尿を全て受けるのに十分なサイズの開口部を有する形状であることが好ましい。
【００１５】
制御部１２６は、洗浄水供給部１３０、洗浄液ポンプ１３２および尿吸い上げポンプ１３４の動作を制御する。
【００１６】
操作部１２８は、操作スイッチ（図示せず）、回動可能な操作レバー１２８ａ等を有する。患者は、操作部１２８を用いて、例えばおしり洗浄の操作、便器洗浄の操作または、室内暖房機の動作を許可する操作などを行うことができる。
【００１７】
洗浄水供給部１３０は、操作部１２８を介して便器洗浄の操作が行われた場合、制御部１２６からの制御信号を受けて、洗浄水を洋式便器本体１２２ａのボウル面１２２ｄに供給し、ボウル面１２２ｄおよび採尿器１２４を洗浄する。具体的には、洗浄水供給部１３０は、洋式便器本体１２２ａ内と連通する洗浄水供給管に、開閉弁を介して水道管を連結したものである。制御部１２６は、開閉弁の開閉を制御することによって、洗浄水の供給を制御する。
【００１８】
洗浄液ポンプ１３２は、制御部１２６からの制御信号を受けて、洗浄液を洗浄液格納部１３１から吸い上げて洋式便器本体１２２ａのボウル面１２２ｄに供給する。洗浄液は、例えば、殺菌性を有する次亜塩素酸塩水溶液である。
【００１９】
尿吸い上げポンプ１３４は、制御部１２６からの制御信号を受けて、採尿器１２４に採取された尿を搬送チューブ１２５ａを介して吸い上げ、当該吸い上げた尿を搬送チューブ１２５ｂを介して蓄尿装置１４０に供給する。
【００２０】
［蓄尿装置１４０の構成］
蓄尿装置１４０は、制御部１４２、バーコード読み取り部１４４、操作表示部１４６、尿受入部１４８、測定部１５０および分注部１５２を備える。
【００２１】
制御部１４２は、操作表示部１４６、測定部１５０および分注部１５２の動作を制御する。
【００２２】
バーコード読み取り部１４４は、患者を一意に特定するバーコード情報を読み取り、読み取ったバーコード情報を制御部１４２に出力する。バーコード情報は、あらかじめ病院から患者に手渡されているリストバンド等に印刷されている。制御部１４２は、バーコード読み取り部１４４から出力されたバーコード情報を患者情報テーブルに照らし合わせることによって、蓄尿検査の患者を特定することができる。患者情報テーブルは、図示しない記憶に記録されており、患者毎に割り振られたＩＤ番号と、患者の氏名、蓄尿量、サンプリング量とからなる患者情報とが対応づけて記憶されている。ここで、蓄尿量とは、その患者の蓄尿装置１４０内に蓄積されている尿の量であり、サンプリング量とは、蓄尿装置１４０に投入された全尿のうち分注に供される尿の比率（例えば、４［％］）である。
【００２３】
制御部１４２は、尿吸い上げポンプ１３４の動作が停止している場合、バーコード読み取り部１４４からバーコード情報が出力されたことをトリガとして、トイレユニット１２０の制御部１２６に対して、尿吸い上げポンプ１３４の動作を開始する旨を示す動作開始要求信号を出力する。制御部１２６は、動作開始要求信号を受けて、尿吸い上げポンプ１３４の動作を開始させる。患者は、尿を排泄する前に、バーコード読み取り部１４４にバーコード情報を読み取らせることによって、尿吸い上げポンプ１３４の動作を開始させる。
【００２４】
制御部１４２は、尿吸い上げポンプ１３４の動作が開始されている場合、バーコード読み取り部１４４からバーコード情報が出力されたことをトリガとして、トイレユニット１２０の制御部１２６に対して、尿吸い上げポンプ１３４の動作を停止する旨を示す動作停止要求信号を出力する。制御部１２６は、動作停止要求信号を受けて、尿吸い上げポンプ１３４の動作を停止させる。患者は、尿を排泄した後、バーコード読み取り部１４４にバーコード情報を読み取らせることによって、尿吸い上げポンプ１３４の動作を停止させる。このように、尿吸い上げポンプ１３４は、患者が尿を排泄する際にのみ動作することとなるため、尿吸い上げポンプ１３４の消費電力を必要最低限に抑えることができる。
【００２５】
操作表示部１４６は、タッチパネルを有する操作部と、患者の氏名と、尿の量および比重等の測定結果とを関連づけて表示する表示部とを備える。
【００２６】
尿受入部１４８は、搬送チューブ１２５ｂを介して尿吸い上げポンプ１３４から供給された患者の尿を受け入れる格納容器である。尿受入部１４８に受け入れられた尿の全ては、搬送管（図示せず）を介して測定部１５０に搬送される。
【００２７】
測定部１５０は、尿受入部１４８から搬送された尿の量および比重を測定する。具体的には、測定部１５０は、尿を収容する尿収容容器を有する。尿収容容器は、排水チューブが接続されている排水口をその底部に有しており、排水チューブに配設されたピンチバルブが開状態とされたときに排水口を介して尿を流出させる。測定部１５０は、その流出時間を計測し、この流出時間から尿の量を計算する。
【００２８】
また、測定部１５０は、尿収容容器から流出した尿を受ける槽をさらに有する。槽に収容された尿の一部は分注のために採尿機構を介して採尿されるが、その後、槽に残った尿は比重の測定に用いられる。測定部１５０は、槽の尿中にフロートを浮遊させ、フロートの浮力による高さを測定し、その測定値から尿の比重を計算する。測定部１５０は、測定した尿の量および比重を制御部１４２に出力する。制御部１４２は、測定部１５０から出力された尿の量および比重と、バーコード読み取り部１４４から出力されたバーコード情報に基づく患者の氏名とを関連づけて操作表示部１４６の表示部に表示させる。
【００２９】
分注部１５２は、複数の分注スピッツ管を格納しており、上記の槽から採取した一定量の尿を分注し、当該分注した尿を分注スピッツ管で保管する。
【００３０】
［蓄尿検査システム１００の動作］
図３を参照し、本実施の形態における蓄尿検査システム１００の動作について説明する。図３に示すフローチャートの各処理は、蓄尿検査の開始から終了まで、患者が尿を排出する動作を行う度に同期して行われる。なお、ステップＳ１００の処理が開始する前の段階において、患者はまだ尿を排泄していないものとする。
【００３１】
まず、蓄尿装置１４０の制御部１４２は、バーコード読み取り部１４４からバーコード情報が出力されているか否かを確認することによって、バーコード読み取り部１４４により患者のバーコード情報が読み取られたか否かについて判定する（ステップＳ１００）。この判定の結果、患者のバーコード情報が読み取られていない場合（ステップＳ１００にてＮＯ）、処理はステップＳ１００に遷移する。
【００３２】
一方、患者のバーコード情報が読み取られた場合（ステップＳ１００にてＹＥＳ）、制御部１４２は、トイレユニット１２０の制御部１２６に対して、尿吸い上げポンプ１３４の動作を開始する旨を示す動作開始要求信号を出力する。制御部１２６は、動作開始要求信号を受けて、尿吸い上げポンプ１３４の動作を開始させる（ステップＳ１２０）。ステップＳ１２０の処理の終了後、患者は、洋式便器１２２の便座１２２ｂに着座し、尿を排泄する。排泄された尿は、採尿器１２４に採取された後、尿吸い上げポンプ１３４により吸い上げられて蓄尿装置１４０の尿受入部１４８に供給される。
【００３３】
次に、蓄尿装置１４０の制御部１４２は、バーコード読み取り部１４４からバーコード情報が出力されているか否かを確認することによって、バーコード読み取り部１４４により患者のバーコード情報が読み取られたか否かについて判定する（ステップＳ１４０）。この判定の結果、患者のバーコード情報が読み取られていない場合（ステップＳ１４０にてＮＯ）、処理はステップＳ１４０に遷移する。
【００３４】
一方、患者のバーコード情報が読み取られた場合（ステップＳ１４０にてＹＥＳ）、制御部１４２は、トイレユニット１２０の制御部１２６に対して、尿吸い上げポンプ１３４の動作を停止する旨を示す動作停止要求信号を出力する。制御部１２６は、動作停止要求信号を受けて、尿吸い上げポンプ１３４の動作を停止させる（ステップＳ１６０）。ステップＳ１６０の処理の終了後、蓄尿装置１４０では、尿の量および比重を測定する処理、尿を分注する処理、および測定結果の表示処理が実行される。
【００３５】
次に、トイレユニット１２０の制御部１２６は、操作部１２８を介して便器洗浄の操作が行われたか否かについて判定する（ステップＳ１８０）。この判定の結果、便器洗浄の操作が行われていない場合（ステップＳ１８０にてＮＯ）、処理はステップＳ１８０に遷移する。
【００３６】
一方、便器洗浄の操作が行われた場合（ステップＳ１８０にてＹＥＳ）、制御部１２６は、洗浄水供給部１３０を制御して、洋式便器本体１２２ａのボウル面１２２ｄに対する洗浄水の供給を開始させる（ステップＳ２００）。最後に、制御部１２６は、洗浄液ポンプ１３２を制御して、洋式便器本体１２２ａのボウル面１２２ｄに対する洗浄液の供給を開始させる（ステップＳ２２０）。ステップＳ２２０の処理が完了することによって、蓄尿検査システム１００は、図３における処理を終了する。
【００３７】
［本実施の形態における効果］
以上詳しく説明したように、本実施の形態の蓄尿検査システム１００は、洋式便器１２２のボウル内に配置され、患者が排泄した尿を受ける採尿器１２４と、一端が採尿器１２４に接続され、他端が尿の量および比重を測定する蓄尿装置１４０に接続された搬送チューブ１２５ａ，１２５ｂを介して、採尿器１２４に採取された尿を取得し、当該取得した尿を蓄尿装置１４０に供給する尿吸い上げポンプ１３４（尿供給部）と、採尿器１２４に採取された尿を蓄尿装置１４０に供給するように尿吸い上げポンプ１３４を制御する制御部１２６とを備える。
【００３８】
このように構成した本実施の形態によれば、患者が自分の尿を採尿カップに採取することなく、当該尿は尿吸い上げポンプ１３４を介して蓄尿装置１４０に直接取り込まれる。そのため、患者は、採尿カップに採尿することの困難性（特に、女性において顕著）、尿を採取する度に当該尿を蓄尿装置１４０に取り込ませる作業を行う必要性から開放され、蓄尿検査のための患者の作業負担を大きく減らすことができる。
【００３９】
また、本実施の形態では、採尿器１２４は、洋式便器１２２のボウル内における前寄りの領域に配置されている。この構成により、患者が尿および糞を同時に排泄した場合、尿は採尿器１２４内に落下する一方、糞はボウル面１２２ｄに形成されている溜水に落下する。そのため、採尿器１２４内で尿および糞が混じり合うことなく、蓄尿検査に必要な尿のみを採尿器１２４から蓄尿装置１４０に供給することができる。よって、蓄尿装置１４０では、一定時間（例えば、２４時間）に排泄された尿の量および比重を精度良く測定することができる。
【００４０】
また、本実施の形態では、洗浄液をボウル面１２２ｄに供給する洗浄液ポンプ１３２（洗浄液供給部）を備え、制御部１２６は、ボウル面１２２ｄが洗浄水で洗浄される場合、洗浄液をボウル面１２２ｄに供給するように洗浄液ポンプ１３２を制御する。この構成により、洗浄水だけで洗浄する場合と比べて、採尿器１２４内をより確実に除菌することができる。
【００４１】
また、本実施の形態では、バーコード読み取り部１４４によりバーコード情報が読み取られた場合、尿吸い上げポンプ１３４の動作を開始または停止する。この構成により、蓄尿検査の開始から終了まで、患者は、バーコード情報をバーコード読み取り部１４４に読み取らせるだけの簡単操作で済む。よって、蓄尿装置１４０、尿吸い上げポンプ１３４の具体的な操作方法を知らない患者でも、１人で簡単に蓄尿検査のための作業を行うことができる。
【００４２】
［変形例］
なお、上記実施の形態では、患者が便器洗浄の操作を行った場合に、ボウル面１２２ｄおよび採尿器１２４を洗浄する例について説明したが、本発明はこれに限らない。例えば、患者が洋式便器１２２の便座１２２ｂから離座したことを着座センサ等を用いて検知し、その検知をトリガとしてボウル面１２２ｄおよび採尿器１２４を洗浄するようにしても良い。
【００４３】
また、上記実施の形態では、トイレユニット１２０の制御部１２６が、尿吸い上げポンプ１３４の動作を制御する例について説明したが、本発明はこれに限定されない。例えば、蓄尿装置１４０の制御部１４２が、尿吸い上げポンプ１３４の動作を制御するようにしても良い。
【００４４】
また、上記実施の形態では、トイレユニット１２０の制御部１２６が、洗浄液ポンプ１３２の動作を制御する例について説明したが、本発明はこれに限定されない。例えば、蓄尿装置１４０の制御部１４２が、洗浄液ポンプ１３２の動作を制御するようにしても良い。
【００４５】
また、上記実施の形態では、尿供給部として尿吸い上げポンプ１３４を用いる例について説明したが、本発明はこれに限定されない。要は、採尿器１２４に採取された尿を蓄尿装置１４０に供給するものであれば何でも良い。
【００４６】
また、上記実施の形態では、洗浄液供給部として洗浄液ポンプ１３２を用いる例について説明したが、本発明はこれに限定されない。要は、洗浄液をボウル内に供給するものであれば何でも良い。
【００４７】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４８】
１００  蓄尿検査システム
１２０  トイレユニット
１２２  洋式便器
１２２ａ  洋式便器本体
１２２ｂ  便座
１２２ｃ  便蓋
１２２ｄ  ボウル面
１２４  採尿器
１２４ａ  対向部
１２４ｂ  排出孔
１２５ａ，１２５ｂ  搬送チューブ
１２６，１４２  制御部
１２８  操作部
１２８ａ  操作レバー
１３０  洗浄水供給部
１３１  洗浄液格納部
１３２  洗浄液ポンプ
１３４  尿吸い上げポンプ
１４０  蓄尿装置
１４４  バーコード読み取り部
１４６  操作表示部
１４８  尿受入部
１５０  測定部
１５２  分注部
【図１】
2014021071.tif 000003
【図２】
2014021071.tif 000004
【図３】
2014021071.tif 000005